(57)【要約】      （修正有）【課題】複数種の医用情報の時間変化を視覚的に把握しやすい状態で表示させることができる医用画像表示装置及び医用画像表示方法を提供する。【解決手段】医用画像表示装置４は、複数の医用情報検出装置２を用いて被検体から検出した複数種の医用情報を、表示画面にそれぞれ表示させるものであって、医用情報は、この医用情報が検出された検出時刻を含み、医用情報に対応する表示用画像を生成する画像生成部２０と、複数の表示用画像を、それぞれ医用情報の種別毎に表示画面の異なる位置に並列配置し、且つ、複数の表示用画像の配置位置を表示画面上に定められた時間軸上において医用情報の各々の検出時刻に対応する位置に時系列に配置する画像統合部２１と、を備える。【選択図】図１
2015171402.tif 000002
【特許請求の範囲】
【請求項１】
被検体から検出した複数種の医用情報を表示画面にそれぞれ表示させる医用画像表示装置であって、
前記医用情報は、該医用情報が検出された検出時刻を含み、
前記医用情報に対応する表示用画像を生成する画像生成部と、
複数の前記表示用画像を、前記医用情報の種別毎に前記表示画面の異なる位置に並列配置し、且つ、前記複数の表示用画像の配置位置を前記表示画面上に定められた時間軸上において前記医用情報の各々の検出時刻に対応する位置に時系列に配置する画像統合部と、
を備える医用画像表示装置。
【請求項２】
請求項１に記載の医用画像表示装置であって、
前記医用情報の少なくとも一種は、被検体の撮影画像を含む医用画像表示装置。
【請求項３】
請求項２に記載の医用画像表示装置であって、
前記表示用画像は、前記撮影画像のサムネイル画像を含む医用画像表示装置。
【請求項４】
請求項１〜３のいずれか一項に記載の医用画像表示装置であって、
前記医用情報にバイタルサインを含む医用画像表示装置。
【請求項５】
被検体から検出した複数種の医用情報を、表示画面にそれぞれ表示させる医用画像表示方法であって、
前記医用情報は、該医用情報が検出された検出時刻を含むものであり、
前記医用情報に対応する表示用画像を生成し、
複数の前記表示用画像を、前記医用情報の種別毎に前記表示画面の異なる位置に並列配置し、且つ、前記複数の表示用画像の配置位置を前記表示画面上に定められた時間軸上において前記医用情報の各々の検出時刻に対応する位置に時系列に配置する医用画像表示方法。
【発明の詳細な説明】
【技術分野】
【０００１】
本発明は、医用画像表示装置及び医用画像表示方法に関する。
【背景技術】
【０００２】
医療分野の検査においては、Ｘ線画像診断装置や超音画像診断装置などの画像診断装置、心電図や血圧などのバイタルサインのモニタリング装置、等の複数の医用情報検出装置を使用して、複数種の医用情報を同時に検出することがある。そして、同時に検出される複数種の医用情報を同期して画像表示する医用画像表示装置も知られている（特許文献１参照）。
【先行技術文献】
【特許文献】
【０００３】
【特許文献１】特開２００８−３０１９８４号公報
【発明の概要】
【発明が解決しようとする課題】
【０００４】
同時に検出される複数種の医用情報を同期して画像表示することにより、検査結果を多角的に分析することが可能となり、例えば検査精度の向上に寄与できる。しかし、特許文献１に記載された画像表示装置では、ある時刻での医用情報毎の画像が表示されるのみであり、例えば医用情報の種別毎の、あるいは複数種の医用情報間の検査を通しての傾向（時間変化）を把握することが難しい。
【０００５】
本発明は、上述した事情に鑑みなされたものであり、複数の医用情報検出装置によって検出される複数種の医用情報の時間変化を視覚的に把握しやすい状態で表示させることができる医用画像表示装置及び医用画像表示方法を提供することを目的とする。
【課題を解決するための手段】
【０００６】
（１）  被検体から検出した複数種の医用情報を表示画面にそれぞれ表示させる医用画像表示装置であって、上記医用情報は、この医用情報が検出された検出時刻を含み、上記医用情報に対応する表示用画像を生成する画像生成部と、複数の上記表示用画像を、上記医用情報の種別毎に上記表示画面の異なる位置に並列配置し、且つ、上記複数の表示用画像の配置位置を上記表示画面上に定められた時間軸上において上記医用情報の各々の検出時刻に対応する位置に時系列に配置する画像統合部と、を備える医用画像表示装置。
（２）  被検体から検出した複数種の医用情報を表示画面にそれぞれ表示させる医用画像表示方法であって、上記医用情報は、この医用情報が検出された検出時刻を含むものであり、上記医用情報に対応する表示用画像を生成し、複数の上記表示用画像を、上記医用情報の種別毎に上記表示画面の異なる位置に並列配置し、且つ、上記複数の表示用画像の配置位置を上記表示画面上に定められた時間軸上において上記医用情報の各々の検出時刻に対応する位置に時系列に配置する医用画像表示方法。
【発明の効果】
【０００７】
本発明によれば、複数の医用情報検出装置によって検出される複数種の医用情報の時間変化を視覚的に把握しやすい状態で表示させることができる。
【図面の簡単な説明】
【０００８】
【図１】本発明の実施形態を説明するための、医用画像表示装置が用いられる検査システムの一例の構成を示す図である。
【図２】図１の医用画像表示装置による医用情報の表示の一例を示す図である。
【図３】本発明の実施形態を説明するための、医用画像表示装置による医用情報の表示の他の例を示す図である。
【発明を実施するための形態】
【０００９】
以下、本発明の好適な実施形態について、図面を参照して説明する。
【００１０】
図１は、本発明の実施形態を説明するための、医用画像表示装置及び医用画像表示装置が用いられる検査システムの一例の構成を示す。
【００１１】
図１に示す検査システム１は、複数の医用情報検出装置２と、サーバ３と、医用画像表示装置４とを備えており、複数の医用情報検出装置２と、サーバ３と、医用画像表示装置４とはネットワーク５を介して互いに通信可能に接続されている。
【００１２】
医用情報検出装置２は、被検体（患者）の医用情報を検出するものであり、例えば内視鏡画像や超音波画像や放射線画像などの被検体の撮影画像を取得する画像診断装置、心拍数や血圧や動脈血酸素飽和度（ＳｐＯ２）や体温などの被検体のバイタルサインを検出するモニタリング装置、等である。上記撮影画像にはＪＰＥＧ（Joint Photographic Experts Group）などの静止画に加え、ＭＰＥＧ（Moving Picture Experts Group）などの動画や、Ｍｏｔｉｏｎ−ＪＰＥＧなどの静止画群も含まれる。
【００１３】
医用情報検出装置２は、互いに同期がとられた内部時計を有しており、医用情報として検出する被検体の撮影画像やバイタルサインなどの情報に、その情報を検出した際の検出時刻を関連付けて記憶する。なお、タイムサーバなどの外部時計から医用情報検出装置２の各々に時刻情報を送信するようにしてもよい。
【００１４】
医用情報検出装置２では、実施済み検査を特定するため特定情報が生成される。この特定情報は、例えば検査毎に付与される検査オーダＩＤや、患者名や、検査日時などの情報を含む。この特定情報は、被検体の撮影画像やバイタルサインなどの情報及び上記時刻情報と共に医用情報を構成する。
【００１５】
サーバ３は、医用情報検出装置２によって検出され、医用情報検出装置２から転送される医用情報を保管する。そして、複数の医用情報検出装置２によって共通の被検体から同時に検出された医用情報は、例えば検査毎に付与された共通の検査オーダＩＤに基づき、サーバ３において互いに関連付けられて保管される。
【００１６】
医用画像表示装置４は、サーバ３に保管されている医用情報を取得し、取得した医用情報を表示画面に表示させる。なお、全ての医用情報がサーバ３における保管対象であるとは限らず、医用情報の種別によっては、医用画像表示装置４が医用情報検出装置２から直接医用情報を取得する場合もある。そのため、図示は省略するが、サーバ３における保管対象外の医用情報を検出する医用情報検出装置２には、検出した医用情報を一時的に記憶しておく記憶部が設けられている。この医用画像表示装置４においては、例えば医用情報を用いた検査結果の分析や検査レポートの作成が行われる。
【００１７】
医用画像表示装置４は、キーボード等で構成される入力部１１、モニタ等で構成される表示部１２、ＨＤＤ（Hard disk drive）等で構成される記憶部１３、ＣＰＵ（Central Processing Unit）等で構成される制御部１４、ネットワークＩ／Ｆ等で構成される通信部１５と、を備えている。記憶部１３には、制御部１４によって実行されるプログラムが記憶されており、また、サーバ３から取得された医用情報が記憶される。
【００１８】
医用画像表示装置４に表示させる医用情報は入力部１１にてユーザにより指定される。医用情報の指定は、例えば上記特定情報を用いて行うことができる。指定された医用情報が他の一つ以上の医用情報と関連付けられてサーバ３に保管されている場合に、これらの医用情報が、サーバ３から医用画像表示装置４に送信され、医用画像表示装置４にて表示画面にそれぞれ表示される。
【００１９】
制御部１４は、画像生成部２０と、画像統合部２１とを有し、表示部１２の表示画面に表示させる画像を生成する。
【００２０】
画像生成部２０は、医用情報に対応する表示用画像を生成する。医用情報が内視鏡画像診断装置や超音波画像診断装置や放射線画像診断装置などの画像診断装置によって検出されたものであって撮影画像を含む場合に、画像生成部２０は、例えば撮影画像のサムネイル画像を生成する。また、医用情報がバイタルサインのモニタリング装置によって検出されたものであって心拍数や血圧やＳｐＯ２や体温などの測定値を含む場合に、画像生成部２０は、例えば測定値のグラフを生成する。
【００２１】
画像統合部２１は、画像生成部２０によって生成された表示用画像を、医用情報の種別毎に表示部１２の表示画面の異なる位置に並列配置する。そして、画像統合部２１は、表示用画像の配置位置を表示画面上に定められる時間軸上において医用情報の各々の検出時刻に対応する位置に時系列に配置する。
【００２２】
図２は、医用画像表示装置４による医用情報の表示の一例を示す。
【００２３】
図２に示す例は、内視鏡画像診断装置と超音波画像診断装置と放射線画像診断装置とが同時に使用された検査であって、検査期間を通し、バイタルサインとして心拍数と血圧とＳｐＯ２と体温とが検出されていた場合の表示画面である。
【００２４】
表示画面は、時間軸３０と、シークバー３１ｎ（ｎ＝１，２，３）及びスライダ３２と、再生画像３３ｎ（ｎ＝１，２，３）と、バイタルサイン３４と、画像統合部２１によって生成された統合画像３５とを含んで構成されている。
【００２５】
時間軸３０は、検査開始時刻を起点にして検査開始時刻からの経過時間で表されている。
【００２６】
シークバー３１ｎは、内視鏡（ＥＳ）、超音波（ＵＳ）、放射線（ＲＦ）の医用情報の種別毎に設けられており、時間軸３０上で医用情報が存在している領域を表す。内視鏡、超音波、放射線の医用情報は撮影画像をそれぞれ含み、撮影画像が静止画である場合に、医用情報の存在領域は、シークバー３１ｎの対応箇所に付された線によって表され、また、撮影画像が動画である場合には、医用情報の存在領域は、その動画の時間長に応じてシークバー３１ｎの対応箇所に付された帯によって表されている。
【００２７】
スライダ３２は、入力部１１に入力されるユーザ操作であって時刻を指定するユーザ操作に応じ、時間軸３０上で左右に移動され、指定された時刻に応じた位置に表示される。
【００２８】
再生画像３３ｎは、医用情報の種別毎（内視鏡、超音波、放射線）に表示され、指定された時刻における内視鏡、超音波、放射線の各々の医用情報に含まれる撮影画像が表示される。また、バイタルサイン３４は、指定された時刻における心拍数、血圧、ＳｐＯ２、体温の測定値によって表されている。
【００２９】
統合画像３５は、上述のとおり、各種の医用情報に対応する表示用画像３６ｎ（ｎ＝１，２，３，４）が医用情報の種別毎に並列に、且つ時系列に配置されて構成される。撮影画像を含む内視鏡（ＥＳ）、超音波（ＵＳ）、放射線（ＲＦ）の各々の医用情報については、表示用画像としての撮影画像のサムネイル画像が時間軸３０上で時系列に配置されて構成されている。なお、撮影画像が動画である場合に、図示の例では、動画の先頭コマのサムネイル画像が、その動画の時間長に応じて時間軸３０上で繰り返し並べられ、且つサムネイル画像の並びにおいて先頭のサムネイル画像に後続するサムネイル画像には、表示態様を異ならせるように網掛けが施されて構成されている。また、心拍数、血圧、ＳｐＯ２、体温の測定値を含むバイタルサイン（Ｖｉｔａｌ）の医用情報については、表示用画像としての測定値のグラフが時系列に配置されて構成されている。
【００３０】
なお、上記表示用画像が時系列に配列されて構成される統合画像３５の時間幅は調整可能となっており、統合画像３５は、時間軸３０上の任意の時間範囲について、その時間範囲に含まれる医用情報の表示用画像によって構成される。統合画像３５に反映される時間軸３０上の時間範囲は、ユーザ操作によって伸縮され、また前後にシフトされ、時間軸３０上にハイライト表示などの適宜な表示態様で表示される。
【００３１】
以上のように構成された表示画面では、統合画像３５において、各種の医用情報に対応する表示用画像が医用情報の種別毎に並列に、且つ時系列に配置されているので、医用情報の種別毎の、あるいは複数種の医用情報間の検査を通しての傾向（時間変化）を視覚的に容易に把握することが可能となる。それにより、例えば、検査結果の分析においては多角的な分析を支援して検査精度を向上させることができ、また、検査レポートの作成においては目的とする撮影画像のサーチを支援して検査レポートの作成効率を向上させることができる。
【００３２】
なお、医用画像表示装置４に表示させる複数種の医用情報として、進行方向前及び後の二方向の撮影画像を取得するカプセル内視鏡によって検出される進行方向前及び後の各方向の撮影画像を用い、各方向の撮影画像（サムネイル画像）を表示画面の異なる位置に並列配置し、且つ、時間軸上において時系列に配置して表示させるようにしてもよい。そして、図３に示すように、カプセル内視鏡の移動速度を考慮し、進行方向前側の撮影画像Ｆｎ（ｎ＝０，１，２，・・・）に対して同時刻に取得された進行方向後側の撮影画像Ｂｎ（ｎ＝０，１，２・・・）を時間軸上で時間Δｔシフトして配置し、表示画面上で同一撮影部位の撮影画像を並べてもよい。
【００３３】
以上、説明したとおり、本明細書には下記事項が開示されている。
【００３４】
（１）  被検体から検出した複数種の医用情報を表示画面にそれぞれ表示させる医用画像表示装置であって、上記医用情報は、この医用情報が検出された検出時刻を含み、上記医用情報に対応する表示用画像を生成する画像生成部と、複数の上記表示用画像を、上記医用情報の種別毎に上記表示画面の異なる位置に並列配置し、且つ、上記複数の表示用画像の配置位置を上記表示画面上に定められた時間軸上において上記医用情報の各々の検出時刻に対応する位置に時系列に配置する画像統合部と、を備える医用画像表示装置。
（２）  上記（１）の医用画像表示装置であって、上記医用情報の少なくとも一種は、被検体の撮影画像を含む医用画像表示装置。
（３）  上記（２）の医用画像表示装置であって、上記表示用画像は、上記撮影画像のサムネイル画像を含む医用画像表示装置。
（４）  上記（１）〜（３）のいずれか一つの医用画像表示装置であって、上記医用情報にバイタルサインを含む医用画像表示装置。
（５）  被検体から検出した複数種の医用情報を表示画面にそれぞれ表示させる医用画像表示方法であって、上記医用情報は、この医用情報が検出された検出時刻を含むものであり、上記医用情報に対応する表示用画像を生成し、複数の上記表示用画像を、上記医用情報の種別毎に上記表示画面の異なる位置に並列配置し、且つ、上記複数の表示用画像の配置位置を上記表示画面上に定められた時間軸上において上記医用情報の各々の検出時刻に対応する位置に時系列に配置する医用画像表示方法。
【符号の説明】
【００３５】
１     検査システム
２     医用情報検出装置
３     サーバ
４     医用画像表示装置
５     ネットワーク
１１   入力部
１２   表示部
１３   記憶部
１４   制御部
１５   通信部
２０   画像生成部
２１   画像統合部
３０   時間軸
３１ｎ シークバー
３２   スライダ
３３ｎ 再生画像
３４   バイタルサイン
３５   統合画像
３６ｎ 表示用画像
【図１】
2015171402.tif 000003
【図３】
2015171402.tif 000004
【図２】
2015171402.tif 000005